(57)【要約】【課題】  多条溝のプーリからベルトを外す作業では、隣接するプーリ溝を乗越えて脱着すために手間がかかり、しかも、作業空間が狭い箇所で行う場合に手探りの作業になり、プーリ溝やベルト位置を誤認したり、ベルト押えとの隙間を通過し難くなる問題点がある。【解決手段】  このような問題点を解消するために入力プーリ６の形状と、変動可能なベルト押え１２にした構成であって、該入力プーリ６を形成する内側プーリ７よりも外側プーリ８を小径にする段差を設け、プーリ間に隙間Ｈを形成してこの間を傾斜面１０で塞ぎ、狭い空間で行う手探りのベルト外し作業を容易にするとともに、該入力プーリ６側を固定するロックアーム１１にベルト押え１２を延設し、ロック解除に連動してベルト押え１２が離反する刈取り入力装置の提供である。【選択図】  図１
2005052086.tif 000002
【特許請求の範囲】
【請求項１】
刈取部を横回動させて機体の前方を開放する刈取り装置の構成に対し、脱穀部の前方を回動支点にした刈取り入力軸を設置して、車速と同調した刈取り速度と、定格回転部から駆動された刈取り速度に切替わる入力プーリを設け、運転席と前記脱穀部の間に該入力プーリを配置した刈取り入力装置において、刈取り入力軸（１）を内設した回動ケース（２）の両端を支持し、その内端（５）側に内側プーリ（７）よりも外側プーリ（８）を小径にした入力プーリ（６）を装着するとともに、双方のプーリ間に隙間（Ｈ）を設け、この間を傾斜面（１０）で形成したことを特徴とするコンバインの刈取り入力装置。
【請求項２】
回動ケース（２）の入力プーリ（６）側を保持するロックアーム（１１）を設け、該ロックアーム（１１）から前記入力プーリ（６）を形成する内側プーリ（
７）と外側プーリ（８）に対し、ベルト押え（１２ａ）、（１２ｂ）を延設させたことを特徴とする請求項１に記載したコンバインの刈取り入力装置。
【発明の詳細な説明】
【技術分野】
【０００１】
本発明は、刈取部を支持する外端を中心に横回動させて、機体の前方を開放させる刈取り装置に複数の駆動系からの入力を可能にし、刈取り速度を切替える多段形状のプーリ構造にした刈取り入力装置に関するものである。
【背景技術】
【０００２】
従来、刈取り入力プーリに多条溝を設けてＶベルトを巻き掛け、走行速度に同調する刈取り速度と、定格回転を別途の駆動系統から入力して高速側の刈取り速度に切替えを可能にし、２系統からの異なる回転速度が選択できる動力の伝達構造にしたものがある（例えば特許文献1参照。）。このような多条溝の入力プーリの採用によって、低速の刈取り作業中に生じる搬送穀稈の姿勢乱れや稈こぼれを高速の刈取り速度に切替えて防止するものであるが、刈取部を横回動させる開放作業で行うＶベルトの取り外しは、同径プーリの隣接した多条溝を乗越させてから取り外すために手間が煩雑になる。又、運転席と脱穀部の狭い隙間からベルトを脱着するので、その作業が手探状態になることから、隣接するプーリ溝が同径の場合に判別し難くベルトを誤装着することがある。本発明は手探り操作になるベルトの脱着作業でも確認し易い異径の入力プーリにし、外側のプーリ径よりも小径にして内外のプーリ径が感触で判別し易くなり、しかも、内側プーリから外した伝導ベルトを外方向に誘導する傾斜面を形成したので、双方のプーリ間にベルトが落ち込むことを阻止したものである。
【０００３】
【特許文献１】特開２００１−１６１１４７号公報  （第４−５頁、第１、３図）
【発明の開示】
【発明が解決しようとする課題】
【０００４】
従来技術である刈取部を横回動させて整備点検を行う開放作業において、初期段階で行うベルト外しの作業では、隣接した同径のプーリ溝を乗越えて取り外すために手間がかかり、しかも、運転席と脱穀部の狭い隙間から行うベルト外しの作業が手探りになることから、前記同径のプーリ溝が判別し難くベルト位置を誤認する等の問題点がある。これらを改善するために、入力プーリを異径のプーリにして外したベルトが外方向に滑落し易い入力プーリの形状にしたものである。
【０００５】
動力を切替えるベルトクラッチの操作でＶベルトに振動が発生し、入力プーリから外れることがあるのでベルト押えをベルトの背面に近設するが、プーリの外径に接近した取付隙間からベルトが取り出し難くなって、刈取部を横回動する開放作業の障害になる。このような問題点を解消するためにベルト押えが接近する作用位置と、プーリ外径から離反する非作用位置に変動する外れ防止処置を装備した刈取り入力装置を提供するものである。
【課題を解決するための手段】
【０００６】
刈取り入力軸に車速と同調した刈取り速度と、定格回転部から駆動された刈取り速度に切替わる入力プーリを設け、運転席と脱穀部の間に該入力プーリを配置した刈取り入力装置において、刈取り入力軸を内設した回動ケースの両端を支持し、その内端側に内側プーリよりも外側プーリを小径にした入力プーリを装着するとともに、双方のプーリ間に隙間を設け、この間を傾斜面で形成して該内側プーリから外したベルトを外方向に誘導する入力プーリの形状にした。
【０００７】
回動ケースの入力プーリ側を保持するロックアームを設け、該ロックアームから前記入力プーリを形成する内側プーリと外側プーリに対してベルト押えを延設させて、異形プーリの外径に接近するように複数配置し、ベルト外れの防止効果を高めた構成にするとともに、刈取部を開放するロック解除にともないプーリ外径からベルト押えが非作用位置に離反する連動構造にしてある。
【発明の効果】
【０００８】
回動ケースの外端を支点にして刈取部を横回動させる開放作業において、Ｖベルトの脱着を狭い隙間で実施する場合に手探りの作業をともなうことから、入力プーリとベルト位置を感触で判別することが要求される。本発明は、多条溝を有する入力プーリの外径を外側から順次大径に変化するプーリ形状にし、外したベルトを取り出しがし易くなって脱着の手間が簡素化され、しかも、各プーリ間に間隔を設けて傾斜面で塞いだ形状にしたので、手探り作業による感触でベルト位置が判別し易く、ベルトを把持した手先が隣接するプーリ溝に挟まれることが少なくなり、ベルトの脱着が狭い空間でも実施できる効果がある。
【発明を実施するための最良の形態】
【０００９】
刈取部に入力する回転速度を２系統の駆動装置から受動し、多条溝を有する入力プーリに入力方向が前後に異なるＶベルトを巻き掛け、個別に設けたベルトクラッチのＯＮ、ＯＦＦ操作によって回転速度を切替える構造にしてあり、刈取部を横回動させる開放作業の際に、前記Ｖベルトの脱着を狭い空間の手探り作業でも実施可能にしたものであって、手先の感触でプーリ径とベルト位置が判別し易い異径のプーリ形状にしたものである。その反面、ベルト外れの防止処置を装着したことがベルト外しの作業を難しくすることから、ベルト押えを現状の部品構成のままで作用位置と非作用位置に変動可能な構成にして、ベルト外れの防止処置と、ベルト脱着の作業性を向上させる双方の効果を実現したものであり、前記した詳細の内容を以下の実施例で説明する。
【実施例】
【００１０】
以下、本発明による刈取り入力装置について、図６の刈取部に動力を伝達するコンバインの要部側面図と、図７に示す平面図を併用してコンバインの構造概要を説明すると、一対のクローラ走行装置１５に連結させた機台１６上の右側前方にエンジンＥを搭載して、ミッションケース２０に併設した油圧変速機１８に動力を伝達し、該クローラ走行装置１５による機体の前後進と作業速度の変速を行うとともに、刈取部Ａに伝動する出力軸２１を前記ミッションケース２０から延設させた走行駆動装置にしてある。この出力構造に対設する入力側の刈取り装置は、脱穀部Ｂの前方に回動支点Ｐを形成する回動ケース２の両端を機台１６から支持し、内設した刈取り入力軸１の内端５側に入力プーリ６を設け、前記出力軸２１から走行速度に同調した回転の受動と、別系統から入力する定格の高速回転を作業条件に応じて切換え可能にした刈取り入力装置にしてあり、選択した回転速度によって植立稈を刈刃２２で切断し、後方に連設した揚上搬送装置２３に受継ぎ、横倒し姿勢に変化した穀稈をフィードチェン２８で後送しながら、扱胴２４の回転によって脱粒処理をする穀稈の搬送経路にしたものである。尚、２９は脱穀部Ｂに並設して良穀粒を一時貯留するグレンタンクである。
【００１１】
このように２系統から入力する構造を図３の動力伝達を示す側面図に図６の要部側面図と、図８の刈取り回動位置と入力構造を示す平面図を併用して説明すると、運転座席の下部に配置したエンジンプーリ２５からミッションケース２０に併設した油圧変速機１８に先ず入力し、多段軸によって減速した回転が走行スプロケット２６に伝達され、係合する一対のクローラ２７が転動して機体を前後進させるとともに、前記ミッションケース２０の中間部から延設した出力軸２１にクラッチプーリ３２を設け、入力ベルト３３を入力プーリ６の内側プーリ７に巻掛けて走行速度に同調した刈取り回転速度を入力する伝動構造にしてある。
【００１２】
一方の定格回転を入力する構成は、脱穀部Ｂを駆動するカウンター軸３５にエンジンＥから受動する脱穀プーリ３７を装備し、隣接して駆動プーリ３６を設けて入力プーリ６の外側プーリ８に動力を伝達するカウンター装置にしてあり、前後方向に巻掛けたＶベルトの動力伝達を断続するベルトクラッチ前３８とベルトクラッチ後４０を個別に装備し、運転席３０に設けた刈取りクラッチレバー４３のＯＮ、ＯＦＦ操作に連動させたり、クラッチモータ４５を介したクラッチペダル４６の踏込みに接続させ、刈取り入力回転を切替えるクラッチ構造にしたものである。
【００１３】
ミッションケース２０から延設した出力軸２１には、ワンウエイクラッチ４１を内装したクラッチプーリ３２を装備し、一方向の駆動力を伝達するようにしてあるので、車速に同調させた回転速度よりも高速回転になると空転するプーリ構造にしてあり、入力ベルト３３に対設したベルトクラッチ前３８が刈取りクラッチレバー４３のＯＮ操作で該入力ベルト３３を押圧し、前記出力軸２１から車速に同調した回転速度を刈取部Ａに入力する伝動構造にしたものである。
【００１４】
別途の入力系統から受動する刈取り高速回転が車速に同調した回転よりも高速になった場合、動力の伝達が切替わる構造について説明すると、クラッチプーリ３２が一方向の駆動力を伝達する特性を利用し、カウンター軸３５に設けた駆動プーリ３６から入力プーリ６の外側プーリ８に伝動ベルト４２を巻掛けて、運転席３０に設けたクラッチペダル４６の踏込み操作でクラッチモータ４５を作動させ、ベルトクラッチ後４０をＯＮにした回転速度が、車速と同調した回転速度以上になった時点で、前記クラッチプーリ３２が出力軸２１を空転して駆動プーリ３６側からの高速回転が優先して刈取部Ａに定格回転を入力する別系統の伝動手段を装備したものである。
【００１５】
このように配置したＶベルトを脱着する刈取り回動の構造を図８に示す刈取り回動位置と入力構造の平面図で説明すると、刈取部Ａと脱穀部Ｂに挟まれ、更にエンジンＥで包囲されたスペースに動力の伝達装置が装備され、整備点検を行う作業空間が確保できないために、該刈取部Ａを横回動させて機体の前方を開放する作業をするが、その際に入力プーリ６から入力ベルト３３と、駆動ベルト４２を前記刈取部Ａを装着した状態で取り外すものである。
【００１６】
開放作業を行う刈取部の構造は、刈取部Ａを保持するために回動ケース２の両端を支持メタル５２で支え、内端５側に開閉自在のロックアーム１１を設けて固定し、一方の外端３側の支持メタル５２を回動可能の構成にし、ロック解除した前記回動ケース２を外端３側を中心に矢印ホの方向に横回動させ、該刈取部Ａを鎖線で図示した位置まで開放して、機体の前方から整備点検を行い易くした構成にしてあって、この開放作業における初期の段階で狭い作業空間からベルトを脱着するものである。尚１７は、入力プーリ６に受動した回転を刈取り各部に伝達する駆動軸を内設した刈取りフレームである。
【００１７】
このような刈取り入力装置を固定するロック構造を図１の要部を断面した正面図と、図２のロック装置を示す側面図を併用して説明すると、機台１６の前方に刈取部Ａを装着する据付台５０を設立させ、半円形の環状受け５１を設けた支持メタル５２を該据付台５０に螺着して、回動ケース２の内端５に嵌着したライナー５３を前記環状受け５１に係合させる支持構造にし、回動支点Ｐの後方を中心に回動するロックアーム１１を前記支持メタル５２に装着して、その回動操作で該ライナー５３を上側から挟持するロック装置の構成である。
【００１８】
ロック状態を保持する構造を図５に示すロック装置と案内板の平面図によって
説明すると、ロックアーム１１に回動自在に嵌着させた操作レバー５５を案内板５７に設けたコの字形のガイド溝５６に臨ませ、該操作レバー５５に装着したつる巻ばね５８によって、矢印ニ方向である前記ガイド溝５６の屈曲方向に付勢し
、図２の側面図に示すロック状態と、鎖線で図示するロック解除の状態を前記ガイド溝５６の屈曲部で保持する構成にしたものである。
【００１９】
回動ケース２に内設した刈取り入力軸１の軸端に設けた入力プーリ６は、図７の平面図に示す如く運転席３０と脱穀部Ｂの間に配置され、エンジンプーリ２５と対設してあって、外部から直視できない狭い空間域に設置された刈取り入力装置であるために、刈取部Ａを横回動させる開放作業時に前記入力プーリ６からＶベルトを取り外す作業を実施するが、狭い空間で行う作業が手探りになる不便さがあり、入力プーリ６を構成する内側プーリ７と外側プーリ８の外径に段差を設け、巻き掛けた入力ベルト３３と伝導ベルト４２の位置を手先の感触で判別し易い異型のプーリ形状にしたものである。
【００２０】
更に、内側プーリ７と外側プーリ８の間に任意の隙間Ｈを設け、手探り状態になった手先を隣接するプーリ溝から離反させて挟まれ難くし、大径の該内側プーリ７から外した入力ベルト３３を再度外側プーリ８の溝に落ち込ませないための前記隙間Ｈである。又、この隙間Ｈを傾斜面１０で覆い外した前記入力ベルト３３を外方向に滑落し易くするプーリ形状にしたものである。
【００２１】
このように入力系統を切替えるベルトクラッチ３８、４０のＯＮ、ＯＦＦ操作は、異形の入力プーリ６からベルト外れを誘発するので、これを防止するベルト押え１２ａ、１２ｂを装着してあるが、内側プーリ７と外側プーリ８の外径に接近する上下位置に取付けられ、ベルト外しの作業を難している。これを解消するために、前記ベルト押え１２ａ、１２ｂをロックアーム１１から延設させ、アームボルト６０を中心に回動して該内側プーリ７と、外側プーリ８の上方から離反する連動構造のベルト押え装置にし、Ｖベルトの厚みが容易に通過する隙間を確保したものである。
【００２２】
ベルト押え１２ａ、１２ｂが移動する構成は、固定用に使用した部品形状のままでロックアーム１１の複数箇所に設置され、該ベルト押え１２ａ、１２ｂの作用位置と非作用位置に変動可能となり、ベルト外れの防止処置とベルトを脱着する作業性向上の双方を実現したものである。尚６１は、入力ベルト３３と伝導ベルト４２の下方を支える固定用ベルト押えであって、プーリの接線方向に離した装着位置にしてベルトクラッチ３８、４０のＯＦＦ時における垂れ下ったベルトに接当させ、連れ回りの発生を防止するものである。
【００２３】
図４は、入力プーリ側に設けたロック装置の平面図であって、図２のロック装置の側面図を併用してベルト押えが移動する軌跡事例を説明すると、棒状のベルト押え１２ａ、１２ｂの形状を内側プーリ７から外側プーリ８側に屈曲させ、各
々の外径に接近する取付位置になるようにロックアーム１１に螺着し、ベルト押え１２ｂが回動中心のアームボルト６０から離れた前方になり、矢印ロ方向の軌跡上を移動し（図２の鎖線位置）、大径の前記内側プーリ７よりも外方に離反してベルト外しの初期動作を行い易くしてある。一方ベルト押え１２ａは、回動中心に近い矢印ハ方向の回動軌跡になって、前記ベルト押え１２ｂに比べ移動量は少ないが内、外プーリ７、８の外径から離反する隙間をベルトの厚み以上に確保した回動中心の配置にしたものである。
【００２４】
従来からベルト押えの作用点は、プーリに巻き掛けた角度に対して進入位置と出口側の接線方向に設け、更に巻き掛け角度の中央付近を押える３方向に設置するものである。本発明は、内側プーリ７と外側プーリ８に巻き掛けた入力ベルト３３と伝導ベルト４２の上方２箇所をロック解除に連動させたベルト押え１２ａ
、１２ｂにし、下側１箇所を固定用ベルト押え６１にするベルト外れの防止処置を施した構成にしてある。
【００２５】
以上説明したように、走行速度と同調した刈取り速度と、定格回転部から駆動された刈取り速度に切替わる入力プーリ６を設け、運転席３０と脱穀部Ｂの間に配置した刈取り入力装置において、刈取り入力軸１を内設した回動ケース２の両端を支持し、その内端５側に内側プーリ７よりも外側プーリ８を小径にした入力プーリ６を装着する入力装置にしたので、従来のベルト外しで奥側ベルトを順次同径のプーリ溝を乗り越させて取り出す手間が煩雑であったが、これが簡素化されたるとともに巻き掛けた入力ベルト３３と伝導ベルト４２の位置が手先の感触で判別し易くなり、狭い空間で行う手探り作業でもベルトの脱着作業が容易に実施できるようになった。
【００２６】
双方のプーリ間に任意の隙間Ｈを設け、この間に傾斜面１０を形成させて内側プーリ７から外したベルトを外方向に誘導する入力プーリ６の形状にしたので、該内側プーリ７から外した入力ベルト３３が再度外側プーリ８の溝に落ち込み難くなり、しかも、傾斜面１０上を前記入力ベルト３３が外方向に滑落し易くなった。
【００２７】
回動ケース２の入力プーリ６側を保持するロックアーム１１を設け、該ロックアーム１１から前記入力プーリ６を形成する内側プーリ７と外側プーリ８に対し
、ベルト押え１２ａ、１２ｂを延設させ、プーリ外径に接近するように複数配置してベルト外れの防止効果を高めた構成にし、刈取部Ａを横回動させるロック解除にともないプーリ外径から前記ベルト押え１２ａ、１２ｂが非作用位置に離反するようにしたので、ベルトの脱着作業が行い易くなり、しかも、ベルト外れの防止処置とベルトを脱着する作業性向上の双方を実現させたものである。
【産業上の利用可能性】
【００２８】
整備点検をするための分離や開放作業を機体の狭い空間で行う場合に、作業時間の短縮や誤装着を回避できる入力装置の提供であって、多段形状のプーリを装備して回転速度を切替え可能にしたベルト伝導装置を採用した農作業車に活用できる。
【図面の簡単な説明】
【００２９】
【図１】入力プーリの要部を断面した正面図である。
【図２】ロック装置の側面図である。
【図３】動力の伝達を示す側面図である
【図４】入力プーリ側に設けたロック装置の平面図である。
【図５】ロック装置の案内板を示す平面図である。
【図６】刈取部に動力を伝達するコンバインの側面図である。
【図７】コンバインの平面図である。
【図８】刈取り回動位置と入力構造を示す平面図である。
【符号の説明】
【００３０】
Ａ・・刈取部          Ｂ・・脱穀部            Ｐ・・回動支点
Ｅ・・エンジン        Ｈ・・プーリ間の隙間
１・・刈取り入力軸    ２・・回動ケース        ３・・外端
５・・内橋            ６・・入力プーリ        ７・・内側プーリ
８・・外側プーリ    １０・・傾斜面          １１・・ロックアーム
１２・・ベルト押え    １６・・機台            １７・・刈取りフレーム
１８・・油圧変速機    ２０・・ミッションケース２１・・出力軸
２５・・エンジンプーリ３０・・運転席          ３２・・クラッチプーリ
３３・・入力ベルト    ３５・・カウンター軸    ３６・・駆動プーリ
３７・・脱穀プーリ    ３８・・ベルトクラッチ前４０・・ベルトクラッチ後
４１・・ワンウエイクラッチ４２・・伝導ベルト  ５０・・据付台
５１・・環状受け      ５２・・支持メタル      ５３・・ライナー
５５・・操作レバー    ５６・・ガイド溝        ５７・・案内板
５８・・つる巻きばね  ６０・・アームボルト    ６１・・固定用ベルト押え
矢印イ・・ロック解除をする操作レバーの方向
矢印ロ・・ベルト押え前の回動軌跡
矢印ハ・・ベルト押え後の回動軌跡
矢印ホ・・刈取部を横回動させる方向
【図１】
2005052086.tif 000003
【図２】
2005052086.tif 000004
【図３】
2005052086.tif 000005
【図４】
2005052086.tif 000006
【図５】
2005052086.tif 000007
【図６】
2005052086.tif 000008
【図７】
2005052086.tif 000009
【図８】
2005052086.tif 000010